(57)【要約】【課題】光線透過率を向上させ、鏡面機能を持つ液晶ディスプレーを提供する。【解決手段】鏡面機能を持つ液晶ディスプレーは液晶ディスプレーモジュール１と明るさ増大フィルム２を備えている。液晶ディスプレーモジュール１をオフにした場合、バックライトユニット１１が発光せず、明るさ増大フィルム２の光線透過軸の方向と直交する光線が反射され、液晶ディスプレーは鏡面となる。液晶ディスプレーモジュール１をオンにした場合、バックライトユニット１１から放射した光線は液晶ディスプレーモジュール１を透過し、明るさ増大フィルム２の光線透過軸の方向は液晶ディスプレーモジュール１の光線透過軸の方向と同様であるので、液晶ディスプレーモジュール１からの光線が簡単に明るさ増大フィルム２を透過することができ、光線透過率が向上する。【選択図】　図１
0003098462.tif 000002
【実用新案登録請求の範囲】
【請求項１】
液晶ディスプレーモジュールと、明るさ増大フィルムとを備え、
前記液晶ディスプレーモジュールの一面には、前記液晶ディスプレーモジュールの光源とするためのバックライトユニットが設けられ、且つ前記液晶ディスプレーモジュールにおいて前記バックライトユニットが設けられる面とは反対面に偏光シートが設けられ、
前記明るさ増大フィルムは前記液晶ディスプレーモジュールと前記偏光シートの間に設けられ、
外部の光線が前記明るさ増大フィルムに反射されて鏡面を形成し、且つ液晶ディスプレーモジュールから放射した光線が前記明るさ増大フィルムを透過可能となるように、前記明るさ増大フィルムの光線透過軸の方向を液晶ディスプレーモジュールの光線透過軸の方向と同一にすることを特徴とする鏡面機能を持つ液晶ディスプレー。
【請求項２】
前記明るさ増大フィルムはＤＢＥＦ（　Ｄｕａｌ　Ｂｒｉｇｈｔｎｅｓｓ　Ｅｎｈａｎｃｅｍｅｎｔ　Ｆｉｌｍ　）明るさ増大フィルムであることを特徴とする請求項１記載の鏡面機能を持つ液晶ディスプレー。
【考案の詳細な説明】
【０００１】
【考案の属する技術分野】
本考案は鏡面機能を持つ液晶ディスプレーに係り、特により優れた光学効率を有し、且つ厚さが薄く、コストが低くて鏡面機能を持つ液晶ディスプレーに関する。
【０００２】
【従来の技術】
従来、一部の液晶ディスプレーは特殊な使用用途によって鏡面機能を有する。図４に示すのは、「情報を表示する車内バックミラー」の構成を示す概略図である。これは主に、バックミラーのガラスシート８１の一面に一光線半分透過反射フィルム８２を設置し、且つ前記ガラスシート８１の後方に一発光ディスプレー８３を設けることにより、平常時に前記ガラスシート８１が外部光線を反射して一鏡となる。なお、前記発光ディスプレー８３が発光している際に、一部の光線は前記光線半分透過反射フィルム８２を透過して、情報を表示することができる。
【０００３】
一般の液晶形態の発光ディスプレー８３は、一液晶ディスプレーモジュール８３１とバックライトモジュール８３２とを有する。発光ディスプレー８３の発光はバックライトモジュール８３２を光源とし、その放射した光線は液晶ディスプレーモジュール８３１の光学特性によって、僅かに約半分の光線が前記液晶ディスプレーモジュール８３１を透過できる。なお、一部の光線が前記光線半分透過反射フィルム８２に吸収されるため、前記液晶ディスプレーモジュール８３１を透過した光線の半分だけが前記光線半分透過反射フィルム８２を透過できる。すなわち、図５に示すように、バックライトモジュール８３２から放射した光線の２５％だけが前記光線半分透過反射フィルム８２を透過できる。そのため、上記「情報を表示する車内バックミラー」の光学効率が悪いため、より高い明るさのバックライトモジュール８３２を使用して表示の明るさを強化することが必要になり、電気消耗も大幅に増加する。このような構成のものを自動車に設置すれば、自動車は発電機を有するので、大した問題が起こらない。しかし、このような構成のものを携帯式電子機器（例えば、携帯電話やＰＤＡやノートブックパソコンなど）に設置すれば、電気消耗が多いため、使用できる時間は短くなり、且つより高い明るさのバックライトモジュール８３２は大量の熱を発生し、ひいては電子機器も過熱する。
【０００４】
また、もう一種の液晶ディスプレーは、一切換式ディスプレー（例えば、ＴＮ−ＬＣＤ）を別に付け、電気回路を通じて前記切換式ディスプレーの開閉を制御する。前記切換式ディスプレーをオンにするときには、外部の光線が反射されて鏡面効果を形成する。また、前記切換式ディスプレーをオフにするときには、内部に設けた液晶ディスプレーモジュールから放射した光線が前記切換式ディスプレーを透過し、これは情報を表示する一ディスプレーになる。しかしながら、このような構成の液晶ディスプレーは、構造がより厚くて複雑であり、製造コストも高いので、携帯式電子機器の軽薄短小及び節電などの要求に満足できない。
【０００５】
【考案が解決しようとする課題】
本考案の主な目的は、液晶ディスプレーモジュールから放射した光線が簡単に明るさ増大フィルムを透過でき、且つ外部の光線が明るさ増大フィルムに反射されて鏡面を形成するように、明るさ増大フィルムの光線透過軸の方向は液晶ディスプレーモジュールの光線透過軸の方向と同様であり、情報を表示しているときに、液晶ディスプレーモジュールの光線透過率を向上することができ、且つ携帯式電子機器の軽薄短小及び節電などの要求を満足でき、光学効率を向上できる鏡面機能を持つ液晶ディスプレーを提供する。
【０００６】
【課題を解決するための手段】
請求項１記載の鏡面機能を持つ液晶ディスプレーによると、液晶ディスプレーモジュールと、明るさ増大フィルムと、を含み、前記液晶ディスプレーモジュールの一面には、前記液晶ディスプレーモジュールの光源とするためのバックライトユニットが設けており、且つ前記液晶ディスプレーモジュールの前記バックライトユニットを設けた面とは反対面に偏光シートが設けており、なお、前記明るさ増大フィルムは前記液晶ディスプレーモジュールと前記偏光シートの間に設けられ、そして、外部の光線が前記明るさ増大フィルムに反射されて鏡面に形成し、且つ液晶ディスプレーモジュールから放射した光線が簡単に前記明るさ増大フィルムを透過できるように、前記明るさ増大フィルムの光線透過軸の方向を液晶ディスプレーモジュールの光線透過軸の方向と同一にすることを特徴とする鏡面機能を持つ液晶ディスプレーであることを要旨としている。
【０００７】
請求項２記載の鏡面機能を持つ液晶ディスプレーによると、前記明るさ増大フィルムはＤＢＥＦ（　Ｄｕａｌ　ｂｒｉｇｈｔｎｅｓｓ　Ｅｎｈａｎｃｅｍｅｎｔ　Ｆｉｌｍ　）明るさ増大フィルムであることを特徴とする鏡面機能を持つ液晶ディスプレーであることを要旨としている。
【０００８】
【考案の実施の形態】
図１から図３に示すのは、本考案の一実施例による鏡面機能を持つ液晶ディスプレーであり、あれは、一液晶ディスプレーモジュール１と、一ＤＢＥＦ明るさ増大フィルム２と、を備え、液晶ディスプレーモジュール１の一面には、液晶ディスプレーモジュール１の光源とするための一バックライトユニット１１が設けられている。且つ液晶ディスプレーモジュール１のバックライトユニット１１を設けた面の反対側の面に一偏光シート１２が設けられている。なお、ＤＢＥＦ明るさ増大フィルム２は液晶ディスプレーモジュール１と偏光シート１２の間に設けられている。ＤＢＥＦ明るさ増大フィルム２の光線透過軸の方向は液晶ディスプレーモジュール１の光線透過軸の方向と同様であるため、液晶ディスプレーモジュール１から放射した光線が簡単にＤＢＥＦ明るさ増大フィルム２を透過できる。
【０００９】
本考案の一実施例で使用されたＤＢＥＦ（　Ｄｕａｌ　ｂｒｉｇｈｔｎｅｓｓＥｎｈａｎｃｅｍｅｎｔ　Ｆｉｌｍ　）明るさ増大フィルムは米国の３Ｍ会社の製品である。３Ｍ会社のＤＢＥＦ明るさ増大フィルムのなかは特殊なプリズム構造を有するので、光線透過軸の方向と同様な光線（Ｐ光線）が透過でき、光線透過軸の方向と直交する光線（Ｓ光線）が反射される。ＤＢＥＦ明るさ増大フィルムの特性を上手く活用することにより、必要な鏡面効果を得ることが可能となる。
【００１０】
図２を参照する。液晶ディスプレーモジュール１をオフにした場合、バックライトユニット１１が発光せず、外部の光線をＤＢＥＦ明るさ増大フィルム２に投射する際に、ＤＢＥＦ明るさ増大フィルム２の光線透過軸の方向と直交する光線（Ｓ光線）が反射され、全体が鏡の状態になる。また、液晶ディスプレーモジュール１をオンにした場合、バックライトユニット１１から放射した光線は液晶ディスプレーモジュール１を透過し、ＤＢＥＦ明るさ増大フィルム２の光線透過軸の方向は液晶ディスプレーモジュール１の光線透過軸の方向と同様であるので、液晶ディスプレーモジュール１から放射した光線（Ｐ光線）が簡単に明るさ増大フィルム２を透過することができ、図３に示すように、光線透過率を向上することができる。
【００１１】
実際の実験結果によれば、本考案の一実施例による鏡面機能を持つ液晶ディスプレーは、一般の配置の状態で、液晶ディスプレーモジュール１をオンにした場合、その明るさは１２０ｃｄ／ｍ２程度に達成することができる。そのため、ハイパワーの高い明るさを有するバックライトモジュールを使用することが必要でなくても、優れた表示効果を得ることができる。
【００１２】
本考案の実施例による鏡面機能を持つ液晶ディスプレーによれば、ＤＢＥＦ明るさ増大フィルム２の光線透過軸の方向は液晶ディスプレーモジュール１の光線透過軸の方向と同様であるので、液晶ディスプレーモジュール１から放射した光線が簡単に前記明るさ増大フィルム２を透過することができる。また、前記ＤＢＥＦ明るさ増大フィルム２の光線透過軸の方向と直交する光線が反射され、全体が鏡の状態になるため、情報を表示している液晶ディスプレーモジュール１の光線透過率が向上する。さらに、軽薄短小及び節電などの要求を満足する前提で、光学効率を向上することもできる。
【図面の簡単な説明】
【図１】本考案の一実施例による鏡面機能を持つ液晶ディスプレーを示す概略図である。
【図２】本考案の一実施例による鏡面機能を持つ液晶ディスプレーを示す概略図である。
【図３】本考案の一実施例による鏡面機能を持つ液晶ディスプレーを示す概略図である。
【図４】従来の鏡面機能を持つ液晶ディスプレーを示す概略図である。
【図５】従来の鏡面機能を持つ液晶ディスプレーを示す概略図である。
【符号の説明】
１　　　液晶ディスプレーモジュール
２　　　ＤＢＥＦ明るさ増大フィルム
１１　　　バックライトユニット
１２　　　偏光シート
【図１】
0003098462.tif 000003
【図２】
0003098462.tif 000004
【図３】
0003098462.tif 000005
【図４】
0003098462.tif 000006
【図５】
0003098462.tif 000007
【手続補正書】
【提出日】平成15年8月18日(2003.8.18)
【手続補正１】
【補正対象書類名】明細書
【補正対象項目名】請求項２
【補正方法】変更
【補正の内容】
【請求項２】
前記明るさ増大フィルムは輝度上昇フィルムであることを特徴とする請求項１記載の鏡面機能を持つ液晶ディスプレー。
【手続補正２】
【補正対象書類名】明細書
【補正対象項目名】０００７
【補正方法】変更
【補正の内容】
【０００７】
請求項２記載の鏡面機能を持つ液晶ディスプレーによると、前記明るさ増大フィルムは輝度上昇フィルムであることを特徴とする鏡面機能を持つ液晶ディスプレーであることを要旨としている。


【手続補正３】
【補正対象書類名】明細書
【補正対象項目名】０００８
【補正方法】変更
【補正の内容】
【０００８】
【考案の実施の形態】
図１から図３に示すのは、本考案の一実施例による鏡面機能を持つ液晶ディスプレーであり、あれは、一液晶ディスプレーモジュール１と、一輝度上昇フィルム２と、を備え、液晶ディスプレーモジュール１の一面には、液晶ディスプレーモジュール１の光源とするための一バックライトユニット１１が設けられている。且つ液晶ディスプレーモジュール１のバックライトユニット１１を設けた面の反対側の面に一偏光シート１２が設けられている。なお、輝度上昇フィルム２は液晶ディスプレーモジュール１と偏光シート１２の間に設けられている。輝度上昇フィルム２の光線透過軸の方向は液晶ディスプレーモジュール１の光線透過軸の方向と同様であるため、液晶ディスプレーモジュール１から放射した光線が簡単に輝度上昇フィルム２を透過できる。


【手続補正４】
【補正対象書類名】明細書
【補正対象項目名】０００９
【補正方法】変更
【補正の内容】
【０００９】
本考案の一実施例で使用する輝度上昇フィルムは、例えば米国の３Ｍ会社の製品であるＤＢＥＦ（Ｄｕａｌ　ｂｒｉｇｈｔｎｅｓｓ　Ｅｎｈａｎｃｅｍｅｎｔ　Ｆｉｌｍ）明るさ増大フィルムである。輝度上昇フィルムのなかは特殊なプリズム構造を有するので、光線透過軸の方向と同様な光線（Ｐ光線）が透過でき、光線透過軸の方向と直交する光線（Ｓ光線）が反射される。輝度上昇フィルムの特性を上手く活用することにより、必要な鏡面効果を得ることが可能となる。


【手続補正５】
【補正対象書類名】明細書
【補正対象項目名】００１０
【補正方法】変更
【補正の内容】
【００１０】
図２を参照する。液晶ディスプレーモジュール１をオフにした場合、バックライトユニット１１が発光せず、外部の光線を輝度上昇フィルム２に投射する際に、輝度上昇フィルム２の光線透過軸の方向と直交する光線（Ｓ光線）が反射され、全体が鏡の状態になる。また、液晶ディスプレーモジュール１をオンにした場合、バックライトユニット１１から放射した光線は液晶ディスプレーモジュール１を透過し、輝度上昇フィルム２の光線透過軸の方向は液晶ディスプレーモジュール１の光線透過軸の方向と同様であるので、液晶ディスプレーモジュール１から放射した光線（Ｐ光線）が簡単に明るさ増大フィルム２を透過することができ、図３に示すように、光線透過率を向上することができる。


【手続補正６】
【補正対象書類名】明細書
【補正対象項目名】００１２
【補正方法】変更
【補正の内容】
【００１２】
本考案の実施例による鏡面機能を持つ液晶ディスプレーによれば、輝度上昇フィルム２の光線透過軸の方向は液晶ディスプレーモジュール１の光線透過軸の方向と同様であるので、液晶ディスプレーモジュール１から放射した光線が簡単に前記明るさ増大フィルム２を透過することができる。また、前記輝度上昇フィルム２の光線透過軸の方向と直交する光線が反射され、全体が鏡の状態になるため、情報を表示している液晶ディスプレーモジュール１の光線透過率が向上する。さらに、軽薄短小及び節電などの要求を満足する前提で、光学効率を向上することもできる。


【手続補正７】
【補正対象書類名】明細書
【補正対象項目名】符号の説明
【補正方法】変更
【補正の内容】
【符号の説明】
１　　　液晶ディスプレーモジュール
２　　　輝度上昇フィルム
１１　　　バックライトユニット
１２　　　偏光シート